(57)【特許請求の範囲】
【請求項１】
開閉機（４）駆動用の３相交流電源とされる電源ライン（２）に設けられ、開閉機を正転／逆転させる高電圧耐用のリレー接点（３）であって、３相のうち２相に設けられた正転用のリレー接点（ｒｙ１，ｒｙ２）と、
前記リレー接点（３）の、前記２相の正転用のリレー接点（ｒｙ１，ｒｙ２）の相順を入れ換えた接続とされた逆転用のリレー接点（ｒｙ４，ｒｙ５）と、
前記リレー接点（３）の、３相のうち残りの１相部分に設けられた正逆転用のリレー接点（ｒｙ３）と、
前記電源ラインに接続され操作系統用の直流低電圧を生成する変圧器（６）及び整流平滑回路（７）と、
前記整流平滑回路（７）に接続されて、シャッターを開放／閉鎖／停止させる各操作スイッチが設けられ、開放／閉鎖の操作時には、前記整流平滑回路（７）の出力を切り替えて異なる方向に出力する操作部（ＰＢＳ）と、
前記操作部による開放／閉鎖の切り替え出力により選択的に通電され、対応して前記開閉機を正転／逆転させる一方のリレー接点を開閉制御するリレーが設けられた開閉用リレー部（１１）であって、前記操作部（ＰＢＳ）の開放の操作スイッチが押下されると、対応して前記正転用のリレー接点を閉じる開放用リレー（ＲＹ１，ＲＹ２）と、
前記開閉用リレー部（１１）の、前記操作部（ＰＢＳ）の閉鎖の操作スイッチが押下されると、対応して前記逆転用のリレー接点を閉じる閉鎖用リレー（ＲＹ４，ＲＹ５）と、
これら開放用リレー側と閉鎖用リレー側にそれぞれ設けられ、前記開放用リレーの通電時には前記閉鎖用リレーが非通電となり、前記閉鎖用リレーの通電時には前記開放用リレーが非通電となる逆流防止素子（Ｄ８，Ｄ１０）と、
前記各逆流防止素子の間に配置され、開放／閉鎖のいずれの切り替え出力であっても共通して通電され前記正逆転用のリレー接点を閉じる開閉用リレー（ＲＹ３）と、
を具備することを特徴とするシャッター用低圧電源操作制御盤。
【発明の詳細な説明】
【０００１】
【発明の属する技術分野】
本発明は、シャッターを開閉制御する操作制御盤に係り、特に、制御盤の操作系統の電圧を低圧化して開閉機の電源電圧と区別したシャッター用低圧電源操作制御盤に関する。
【０００２】
【従来の技術】
図２は、現在汎用されているシャッター制御盤の構成を示す回路図である。
制御盤４０は、シャッターケース内部に設けられ、開閉機４１の回転を制御してこの開閉機４１に接続されたシャッターカーテンの上昇／下降／停止制御を行う。
この制御盤４０には、開閉機４１の駆動電圧に対応した三相交流（例えばＡＣ２００Ｖ）が供給される。
電源ライン４２上には、各相に開放用リレー接点４３（ＯＭ）が設けられ、また、これと並列に相方向を入れ換えた形で閉鎖用リレー接点４４（ＣＭ）が設けられている。
【０００３】
この制御盤４０には操作部４５が接続され、この操作部４５は操作者の操作位置まで電線４５ａを介して延出される。
そして、操作者が操作部４５の上昇／下降の操作スイッチを押下することにより、制御盤４０の開放用リレー４７／閉鎖用リレー４８が通電され、これらリレー４７，４８によって、前記開放用リレー接点４３／閉鎖用リレー接点４４が閉じられ開閉機４１が対応方向に回転してシャッターカーテンを開放／閉鎖する構成となっている。
【０００４】
また、制御盤４０には、自己保持用リレー接点５１，５２が設けられ、上昇／下降の操作スイッチを押下してリレー４７，４８が通電されると、自己保持用リレー接点５１，５２が閉じられ、以降は、上昇／下降の操作スイッチを離してもこの自己保持用リレー接点５１，５２を介してリレー４７，４８が継続して通電される（自己保持動作）ようになっている。
【０００５】
自己保持動作で継続して上昇／下降するシャッターカーテンは、上限／下限位置に達すると、リミットスイッチ５５が開くことによりリレー４７，４８への通電が遮断されリレー接点４３，４４が開放して開閉機４１が停止することにより同上限／下限位置で停止するようになっている。
また、停止の操作スイッチを押下されたときも同様にリレー４７，４８への通電が遮断されて開閉機４１は停止しシャッターカーテンは同位置で停止する。この停止時には、ブレーキ４９が働き、シャッターカーテンを機械的に固定保持して自然落下を防止する。
【０００６】
【発明が解決しようとする課題】
上記制御盤４０は、３相交流の電源電圧がそのまま各部に供給される構成であり、特に操作部４５の操作電圧が開閉機４１への供給電圧と同じ高電圧となった。これにより、
１）操作系統の全電線に高圧用のものを用いなければならない。対応して電線が太くなり、配線作業にも手間がかかる。
２）制御盤４０から操作部３までの電線延出箇所には金属配管等特殊な配線工事を施さねばならない。またアースが必要となる。
３）操作部３の操作スイッチに高圧用のものを用いなければならない。これによって操作スイッチが大型となる。
４）上限／下限のリミットスイッチと配線にも高圧用のものが必要となる。
５）操作部４５での感電の危険がある。等の問題があった。
【０００７】
本発明は、上記課題を解決するためになされたものであり、開閉機の駆動電圧と、操作部の操作電圧とを区別することにより、操作系統を構成する部品と配線を低コスト化でき配線作業を容易化できるとともに、操作の安全性が図れるシャッター用低圧電源操作制御盤を提供することを目的としている。
【０００８】
【課題を解決するための手段】
上記目的を達成するため、本発明のシャッター用低圧電源操作制御盤は、
開閉機４駆動用の３相交流電源とされる電源ライン２に設けられ、開閉機４を正転／逆転させる高電圧耐用のリレー接点３であって、３相のうち２相に設けられた正転用のリレー接点ｒｙ１，ｒｙ２と、
前記リレー接点３の、前記２相の正転用のリレー接点ｒｙ１，ｒｙ２の相順を入れ換えた接続とされた逆転用のリレー接点ｒｙ４，ｒｙ５と、
前記リレー接点３の、３相のうち残りの１相部分に設けられた正逆転用のリレー接点ｒｙ３と、
前記電源ライン２に接続され操作系統用の直流低電圧を生成する変圧器６及び整流平滑回路７と、
前記整流平滑回路７に接続されて、シャッターを開放／閉鎖／停止させる各操作スイッチが設けられ、開放／閉鎖の操作時には、前記整流平滑回路７の出力を切り替えて異なる方向に出力する操作部ＰＢＳと、
前記操作部ＰＢＳによる開放／閉鎖の切り替え出力により選択的に通電され、対応して前記開閉機４を正転／逆転させる一方のリレー接点を開閉制御するリレーが設けられた開閉用リレー部１１であって、前記操作部ＰＢＳの開放の操作スイッチが押下されると、対応して前記正転用のリレー接点ｒｙ１，ｒｙ２を閉じる開放用リレーＲＹ１，ＲＹ２と、
前記開閉用リレー部１１の、前記操作部ＰＢＳの閉鎖の操作スイッチが押下されると、対応して前記逆転用のリレー接点ｒｙ４，ｒｙ５を閉じる閉鎖用リレーＲＹ４，ＲＹ５と、
これら開放用リレーＲＹ１，ＲＹ２側と閉鎖用リレーＲＹ４，ＲＹ５側にそれぞれ設けられ、前記開放用リレーＲＹ１，ＲＹ２の通電時には前記閉鎖用リレーＲＹ４，ＲＹ５が非通電となり、前記閉鎖用リレーＲＹ４，ＲＹ５の通電時には前記開放用リレーＲＹ１，ＲＹ２が非通電となる逆流防止素子Ｄ８，Ｄ１０と、
前記各逆流防止素子Ｄ８，Ｄ１０の間に配置され、開放／閉鎖のいずれの切り替え出力であっても共通して通電され前記正逆転用のリレー接点ｒｙ３を閉じる開閉用リレーＲＹ３と、
を具備することを特徴としている。
【００１０】
上記構成によれば、高電圧となる開閉機４の駆動電圧に対し、操作制御盤１上の操作系統は直流の低電圧として区別することができる。操作制御盤１上の各開閉用リレーＲＹ１〜ＲＹ８等は低電圧耐用のものが用いられる。また、操作制御盤１に接続される操作部ＰＢＳの操作スイッチ及び配線も低電圧耐用の部品及び接続線を用いることができ、特殊な配線工事が不要となる。操作部が低電圧であるため、操作安全性が向上できる。さらに、操作制御盤１上のリレーには、開閉共用の開閉用リレーを用いることができ、このことから、リレー及び電源ライン上のリレー接点の数を１個少なくでき、部品数を削減でき、保守も容易化できる。
【００１１】
【発明の実施の形態】
図１は、本発明のシャッター用低圧電源操作制御盤を示す回路図である。
操作制御盤１は、電源ライン２上に設けられたリレー接点３を開閉制御して開閉機３を回転駆動する。
電源ライン２は、高電圧な交流電源（３相２００Ｖ等）とされ、複数のリレー接点３を介して開閉機４に接続されており、リレー接点３の開閉によって開閉機４に電源電圧が印加され、所定方向に回転する。
【００１２】
リレー接点３は、各相に設けられたｒｙ１〜ｒｙ３と、うち２相分が反転接続されたｒｙ４，ｒｙ５とを有している。
そして、リレー接点３のうち、ｒｙ１〜３が閉じられると開閉機４は正転方向に回転し、シャッターを開放させる。一方、リレー接点３のうち、ｒｙ２，ｒｙ４，ｒｙ５が閉じられると開閉機４は逆転しシャッターを閉鎖させる。これらリレー接点３は、後述する開放用あるいは閉鎖用リレーが選択的に作動することにより開閉される。
【００１３】
この電源ライン２にはシャッター停止時にシャッターを停止位置で固定保持するブレーキ５が接続され、ブレーキ５は、リレー接点ｒｙ６が閉じられている間（開閉機３駆動時）、ブレーキ保持を解除する。このリレー接点ｒｙ６もブレーキ用リレーの作動により開閉される。
【００１４】
上記リレー接点ｒｙ１〜ｒｙ６は、前記高圧な電源電圧耐用のものが使用される。
以下に説明する操作制御盤１の構成は、低圧な電源電圧耐用のものである。
【００１５】
電源ライン２には変圧器６が接続され、変圧器６の変圧出力は、ダイオードブリッジ及びコンデンサ等からなる整流平滑回路７を介して直流低圧電源（ＤＣ２４Ｖ）として出力される。
【００１６】
整流平滑回路７の出力は、開放／閉鎖／停止の各操作スイッチが設けられた操作部ＰＢＳを介して、リレー回路部９に供給される。
リレー回路部９は、自己保持回路１０と、開閉用リレー部１１で構成されている。
操作部ＰＢＳの開放の操作スイッチが押下されると、自己保持回路１０の開放用リレーＲＹ７が通電され、これによって閉じられる自己保持用リレー接点ｒｙ７により開放の操作スイッチが離されても、自己保持用リレー接点ｒｙ７の閉じた状態が継続され、開放の操作スイッチが継続的に押下され続ける所謂、開放の自己保持動作が開始されるようになっている。
【００１７】
同様に操作部ＰＢＳの閉鎖の操作スイッチが押下されたときには、自己保持回路１０の閉鎖用リレーＲＹ８が通電され、自己保持用リレー接点ｒｙ８が閉じることによって閉鎖の自己保持動作が開始される。
開放／閉鎖の自己保持動作の期間中は、互いの回路に設けた常閉接点ｒｙ７，ｒｙ８によって、反対側の自己保持動作が禁止されている。
また、操作部ＰＢＳの停止の操作スイッチが押下されると、開放用リレーＲＹ７，閉鎖用リレーＲＹ８のいずれが動作していてもこれら開放用リレーＲＹ７，閉鎖用ＲＹ８への通電が遮断され、自己保持動作が直ちに停止する。
【００１８】
開放の自己保持動作を行う自己保持回路１０の出力は、開閉用リレー部１１に対し図中Ａの接続線を介して供給される。
開閉用リレー部１１は、開放時の接続線Ａの出力によって開放用リレーＲＹ１，ＲＹ２と、開閉用リレーＲＹ３、ブレーキ用リレーＲＹ６が選択的に通電される。ここで、ダイオードＤ１０によって閉鎖用リレーＲＹ４，ＲＹ５は非通電状態のままである。
【００１９】
一方、閉鎖の自己保持動作を行う自己保持回路１０の出力は、開閉用リレー部１１に対し図中Ｂの接続線を介して供給され、この接続線Ｂの出力によって閉鎖用リレーＲＹ４，ＲＹ５と、開閉用リレーＲＹ３と、ブレーキ用リレーＲＹ６が選択的に通電される。ここで、ダイオードＤ８によって開放用リレーＲＹ１，ＲＹ２は非通電状態のままである。
そして、開閉用リレーＲＹ３と、ブレーキ用リレーＲＹ６は、逆流防止用のダイオードＤ８とＤ１０間に配置されているため、開放／閉鎖時のいずれにおいても共通して作動（通電）するようになっている。
【００２０】
これら開放用リレーＲＹ１，ＲＹ２、開閉用リレーＲＹ３、閉鎖用リレーＲＹ４，ＲＹ５、ブレーキ用リレーＲＹ６は、前記電源ライン２上に設けられたリレー接点３のうち対応するｒｙ１〜ｒｙ６を夫々開閉制御するものであり、直流低圧でリレーが駆動され、高電圧のリレー接点３を切り替える構成のものが使用される。具体的には、パワーリレーや、電磁接触器で構成することができる。
【００２１】
この開閉用リレー部１１の出力は、シャッターの上下限位置をそれぞれ検出する上限検知スイッチ、下限検知スイッチが設けられたリミット検出部ＬＳを介して前記整流平滑回路７に帰還接続されている。
上下限の検知スイッチは、常閉接点で構成され、シャッターカーテンが上下限位置に達したときにスイッチが開かれることにより、リレー回路部９に設けられた各リレーＲＹ１〜ＲＹ６の通電を遮断してシャッターを上下限位置で停止させる。
【００２２】
上記構成によれば、操作スイッチＰＢＳの開放スイッチが押下されると、リレー回路部９の開放用リレーＲＹ１，ＲＹ２、開閉用リレーＲＹ３が通電され、対応する電源ライン２上のリレー接点３のうちｒｙ１〜ｒｙ３が閉じて開閉機４が正転しシャッターが開放方向に上昇し始める。
この後、自己保持回路１０の自己保持用接点ｒｙ７が閉じた状態を継続する自己保持動作が開始され、開放スイッチが離されてもシャッターは同開放を継続する。
そして、停止スイッチの操作、あるいはシャッターが上限位置に達し上限検知スイッチが開くことにより、リレー回路部９の各動作中のリレーＲＹ１〜３への通電が遮断され、対応してリレー接点３のうちｒｙ１〜３が開き開閉機４への通電が遮断されてシャッターは停止する。
【００２３】
また、操作スイッチＰＢＳの閉鎖スイッチが押下されると、リレー回路部９の閉鎖用リレーＲＹ４，ＲＹ５、開閉用リレーＲＹ３が通電され、対応して電源ライン２上のリレー接点３のうちｒｙ３〜ｒｙ５が閉じて開閉機４が逆転しシャッターが閉鎖方向に下降し始める。
この後、自己保持回路１０の自己保持用接点ｒｙ８が閉じた状態を継続する自己保持動作が開始され、閉鎖スイッチが離されてもシャッターは同閉鎖を継続する。
そして、シャッターが下限位置に達し下限検知スイッチが開くと、リレー回路部９の各動作中のリレーＲＹ３〜５への通電が遮断され、対応するリレー接点３のうち、ｒｙ３〜５が開き開閉機４への通電が遮断されてシャッターは停止する。
【００２４】
上記操作制御盤１の操作系統を構成するリレー回路部９の各リレーＲＹ１〜ＲＹ８や、リレー接点ｒｙ７，ｒｙ８は、低電圧で作動する部品を用いることができ、小型化でき低コスト化できる。また、操作制御盤１上の配線や、操作制御盤１に接続される操作部ＰＢＳの操作スイッチや、リミット検出部ＬＳのスイッチやその配線にも同様に低電圧作動のものを用いることができるようになり、配線作業を容易に行えるようになる。
【００２５】
また、上記構成のように、操作系統を直流低電圧とすることにより、逆流防止用のダイオードＤ８，Ｄ１０の間に開閉用リレーＲＹ３を設けるだけで、開放／閉鎖いずれのときにもリレー接点ｒｙ３を共通して作動させることができるようになり、開閉機４の正転／逆転用に従来では６個必要であったこれらリレーと、リレー接点の数を１つ減らせ５個で構成でき全体コストを低下できるようになる。
【００２６】
【発明の効果】
本発明によれば、操作系統を低電圧とし、開閉機駆動用の高電圧と電圧を区別した構成であるため、操作制御盤は低電圧作動する小型で低コストな部品を用いることができるようになる。また、操作系統が低電圧であるから、
(1)操作制御盤上の配線用接続線に低電圧用のものを用いることができ、従来に比して細く低コスト化できる。
(2)操作制御盤から操作部に延出される接続線も同様に細く低コストのものを使用できる。同時に高電圧用の金属配管やアース処理等、特殊な配線作業が不要となる。
(3)操作部に印加される電圧が低電圧であり感電することがなく、操作安全性を向上できる。
(4)操作部のスイッチも低電圧用の小型なものを用いることができ、操作部の小型化及び低コスト化を図れる。
という格別なる効果を得られる。
そして、開放用リレー側と閉鎖用リレー側にそれぞれ設けられ、開放用リレーの通電時には閉鎖用リレーが非通電となり、閉鎖用リレーの通電時には開放用リレーが非通電となる逆流防止素子を備える構成とし、これら逆流防止素子の間に、開放／閉鎖のいずれの切り替え出力であっても共通して通電され正逆転用のリレー接点を閉じる開閉用リレーを備える構成としたことで、操作制御盤上のリレーが開閉共用のものとなり、リレー及び電源ライン上のリレー接点の数を１個少なくできるため、その分部品数を削減できコストを下げることができ、保守も容易化できる。
【図面の簡単な説明】
【図１】本発明のシャッター用低圧電源操作制御盤の実施の形態を示す回路図。
【図２】従来のシャッター制御盤を示す回路図。
【符号の説明】
１…操作制御盤、２…電源ライン、３…リレー接点、４…開閉機、５…ブレーキ、７…整流平滑回路、９…リレー回路部、１０…自己保持回路、１１…開閉用リレー部、ＲＹ１，ＲＹ２…開放用リレー、ＲＹ３…開閉用リレー、ＲＹ４，ＲＹ５…閉鎖用リレー，ｒｙ１〜ｒｙ５…リレー接点。
【図１】
0003700220.tif 000002
【図２】
0003700220.tif 000003